(57)【特許請求の範囲】
【請求項１】
所望の各種物体を収納して前記物体を所定の温度に保持して管理する温度管理システムであって、
断熱性を有する収納器本体と、断熱性を有し、前記収納器本体の開口部を開閉する開閉蓋部とを備えた断熱性収納器と、
熱伝導性の容器本体と、熱伝導性の開閉蓋部とを有し、前記物体を収納して前記収納器本体内に出し入れ可能に収容される熱伝導性の内容器と、
所望数の下部側の第１及び第２の蓄熱剤と、
所望数の上部側の第１及び第２の蓄熱剤とを備え、
前記下部側及び上部側の各第１の蓄熱剤は略同一融点の蓄熱剤で構成され、
前記下部側及び上部側の各第２の蓄熱剤は略同一融点、かつ、前記第１の蓄熱剤の融点温度より低温融点の蓄熱剤で構成され、
前記下部側の第２の蓄熱剤は、前記収納器本体内の底部側に配置され、
前記下部側の第１の蓄熱剤は、前記下部側の第２の蓄熱剤上に面接触させて重合載置して配置され、
前記内容器は前記下部側の第１の蓄熱剤上に接触載置して配置され、
前記上部側の第１の蓄熱剤は、前記内容器上に接触載置して配置され、
前記上部側の第２の蓄熱剤は、前記上部側の第１の蓄熱剤上に面接触させて重合載置して配置され、前記内容器内に収納した前記物体を温度管理するように構成した
ことを特徴とする、温度管理システム。
【請求項２】
前記各第１の蓄熱剤は、当該蓄熱剤の凝固点より所望値高温に蓄熱させると共に前記各第２の蓄熱剤は、当該蓄熱剤の凝固点より所望値低温に蓄熱させて使用することを特徴とする、請求項１に記載の温度管理システム。
【請求項３】
前記第２の蓄熱剤は、前記第１の蓄熱剤の融点温度より３℃ないし１０℃低温融点の蓄熱剤で構成されていることを特徴とする、請求項１又は２に記載の温度管理システム。
【請求項４】
請求項１ないし３のいずれかの温度管理システムを利用して所望の各種物体を所定の温度に保持して管理することを特徴とする、温度管理方法。
【発明の詳細な説明】
【技術分野】
【０００１】
本発明は、温度管理システムに関する。さらに詳しくは、治験薬その他の薬剤，血液，体液，尿，ヒトの臓器、その他所望の各種物体を収容して所望の温度に管理する温度管理システムに関する。本発明は主に移送，配送，輸送用として用いるが、保管用としても用いられる。
【背景技術】
【０００２】
従来、治験薬等の薬剤や各種の検体その他の温度管理を必要とする各種物体を移送，配送，輸送する場合、断熱性容器や断熱性コンテナその他の断熱性収納器が一般使用されている。上記目的に使用される断熱性収納器は、従来より種々の構造や型式のものが数多く提案されている（例えば、特許文献１〜４参照）。
【０００３】
例えば、ある種の治験薬等は特定の温度（２℃〜８℃）を保持するように温度管理して配送，輸送することが要求されている。前記治験薬等の下限の２℃以下の温度に過剰冷却すると問題が生じると共に上限の８℃をオーバーしても問題が生じる。
【０００４】
そこで、従来は、例えば図６に示すような温度管理方法が実施され、或いは試みられている。以下、図６を参照して従来法の問題点を説明する。
【０００５】
図６に示す温度管理方法は、いずれも断熱性容器や断熱性コンテナ等の断熱性収納器１内に蓄熱剤１０（蓄冷剤）を収容して温度管理する方法が開示されている。前記蓄熱剤１０は融点０℃の蓄熱剤（蓄冷剤）で構成されている。この蓄冷剤を−１５℃〜−２５℃に冷却して使用される。図６の各収納器１は横断面図を示す。
【０００６】
図６（ａ）は、収納器１内の後部側に蓄熱剤１０（以下、「蓄冷剤１０」という場合もある）を収容した例（第１の方法）を示す。
図６（ｂ）は収納器１内の前部側及び後部側に蓄冷剤１０を収容した例（第２の方法）を示す。
図６（ｃ）は収納器１内の前後部側及び両側部側に蓄冷剤１０を収容した例（第３の方法）を示す。
図６（ｄ）は収納器１内の前後部側及び両側部側に、第３の方法より枚数を増量して蓄冷剤を収容した例（第４の方法）を示す。
【０００７】
しかし、第１〜第４の方法は次のような問題を有している。
（１）器内温度のバラつきの問題
第１の方法は蓄冷剤１との間隔（距離）差に比例して器内温度にバラつきが生じる。即ち、蓄冷剤との間隔差に比例して器内温度が高くなる。前記温度差は収納器の断熱性能が低いほど大になる。
（２）輸送初期の過剰な冷却の問題
第２及び第３の方法は輸送初期の過剰な冷却の問題を有している。即ち、マイナス１５℃〜２５℃に冷却した蓄冷剤をそのまま使用すると、初期の段階においては器内、したがって、器内の収容物（治験薬等）を過剰に冷却する問題を有している。過剰冷却は蓄冷剤の枚数に比例して高くなると共に収納器の断熱性能が高いほど大になる。上記問題は蓄冷剤を、その融点温度近くになるまで恒温環境に一定時間放置した後に使用することにより解消できる。しかし、この方法は手間な作業が増え、運用効率の悪化を招く問題が発生する。また、蓄冷剤を融点温度にして使用すると、保冷有効時間が短くなる問題が生じる。
（３）蓄冷剤による下限温度の逸脱の問題
第４の方法のように使用する蓄冷剤の枚数を多くすると下限温度（２℃）を逸脱する問題が生じる。また、逆に蓄冷剤の使用枚数を少なくすると、上限逸脱の問題が生じる。
（４）マイナス外気温による下限温度の逸脱の問題
第１ないし第４のいずれの方法によっても、外気温が蓄冷剤の融点以下の場合には、下限温度を逸脱する問題が生じる。
（５）プラス→マイナス外気温による上下限温度逸脱の問題
第１ないし第４のいずれの方法においても、例えば出発地と到達地等の外気温が異なる場合、下限温度又は上限温度の逸脱の問題が生じる。
【０００８】
また、例えば、１０℃〜１５℃、或いは１５℃〜２５℃の温度を保持するように温度管理して配送，輸送することを要求される物体がある。従来は、上記温度帯内の温度に対応した融点温度の蓄冷剤（蓄熱剤）を使用する温度管理方法が試みられている。しかし、前記蓄冷剤（蓄熱剤）は、一般的に融解潜熱が低く、保冷効果が低いため、多量の蓄冷剤（蓄熱剤）を必要とする。また、前処理が必要で運用が困難であり、コスト高になる問題を有している。さらにまた、マイナス外気温では効果を発揮できない問題も有している。
【０００９】
上記のように前記温度管理方法は、上述した問題を有している。しかるに、上記問題を解消し得る温度管理システムは未だ提案されていない。
【先行技術文献】
【特許文献】
【００１０】
【特許文献１】実用新案登録第３１６２４９２号公報
【特許文献２】特開２００７−１２６１８８号公報
【特許文献３】特開２００２−２９５７３号公報
【特許文献４】実用新案登録第３０５２６７６号公報
【発明の概要】
【発明が解決しようとする課題】
【００１１】
本発明は上記のような実情に鑑みてなされたもので、上述した諸問題を解消し、所望の各種物体を所定の温度を保持して安定かつ良好に管理できる温度管理システムを提供することを目的とするものである。
【課題を解決するための手段】
【００１３】
本発明の１つの発明（第１の発明）は、所望の各種物体を収納して前記物体を所定の温度に保持して管理する温度管理システムであって、
断熱性を有する収納器本体と、断熱性を有し、前記収納器本体の開口部を開閉する開閉蓋部とを備えた断熱性収納器と、
熱伝導性の容器本体と、熱伝導性の開閉蓋部とを有し、前記物体を収納して前記収納器本体内に出し入れ可能に収容される熱伝導性の内容器と、
所望数の下部側の第１及び第２の蓄熱剤と、
所望数の上部側の第１及び第２の蓄熱剤とを備え、
前記下部側及び上部側の各第１の蓄熱剤は略同一融点の蓄熱剤で構成され、
前記下部側及び上部側の各第２の蓄熱剤は略同一融点、かつ、前記第１の蓄熱剤の融点温度より低温融点の蓄熱剤で構成され、
前記下部側の第２の蓄熱剤は、前記収納器本体内の底部側に配置され、
前記下部側の第１の蓄熱剤は、前記下部側の第２の蓄熱剤上に面接触させて重合載置して配置され、
前記内容器は前記下部側の第１の蓄熱剤上に接触載置して配置され、
前記上部側の第１の蓄熱剤は、前記内容器上に接触載置して配置され、
前記上部側の第２の蓄熱剤は、前記上部側の第１の蓄熱剤上に面接触させて重合載置して配置され、前記内容器内に収納した前記物体を温度管理するように構成したことを特徴とする。
【００１４】
なお、本発明において、「断熱性収納器」の用語は、断熱性容器，断熱性コンテナ，断熱性収納ボックス，断熱性収納庫、或いは断熱性バック等を含む概念として用いられている。
また、「下部側の第１、第２の蓄熱剤」及び「上部側の第１、第２の蓄熱剤」の「下部側及び上部側」の用語は、説明を理解し易くするために便宜上用いたものである。即ち、本発明においては、「下部側の第１の蓄熱剤」と「上部側の第１の蓄熱剤」は同質ないし略同質の蓄熱剤で構成されている。したがって、両者は区別することなく下部側及び上部側の部位に共通して使用可能なものである。さらにまた、「下部側及び上部側の第２の蓄熱剤」についても第１の蓄熱剤と同様に区別することなく、上下に共通して使用可能なものである。
【００１５】
上記のように構成すると、第１の蓄熱剤からの冷熱は第２の蓄熱剤に吸収され、第２の蓄熱剤の凝固点の凝固熱を前記内容器内へ熱伝導される。このように、第１の蓄熱剤の冷熱を内容器へ直接熱伝導するものではなく、第２の蓄熱剤が一旦吸収し、第２の蓄熱剤の凝固熱を内容器内へ熱伝導するものである。したがって、第２の蓄熱剤からの所定温度の凝固熱を内容器内へ効率よく熱伝導させることが可能になる。
【００１６】
上記のように第２の蓄熱剤の冷熱を第１の蓄熱剤が吸収し、第１の蓄熱剤の凝固熱を内容器内へ熱伝導するので、内容器へ収納されている物体を所定の下限以下の温度に冷却するのを防止できる。また、器内温度を均一に保持できる。
【００１７】
本発明の他の１つの発明（第２の発明）は第１の発明において、前記各第１の蓄熱剤は、当該蓄熱剤の凝固点より所望値高温に蓄熱させると共に前記各第２の蓄熱剤は、当該蓄熱剤の凝固点より所望値低温に蓄熱させて使用することを特徴とする。
【００１８】
本発明のさらに他の１つの発明（第３の発明）は、第１又は第２の発明において、前記第２の蓄熱剤は、前記第１の蓄熱剤の融点温度より３℃ないし１０℃低温融点の蓄熱剤で構成されていることを特徴とする。
【００１９】
本発明のさらに他の１つの発明（第４の発明）は、温度管理方法であって、第１〜第３のいずれかの温度管理システムを利用して所望の各種物体を所定の温度に保持して管理することを特徴とする。
【発明の効果】
【００２０】
本発明によれば、次のような作用効果を奏する。
（１）治験薬，検体，その他の各種物体を所定の設定温度を保持して安定、かつ良好に温度管理することができる。
（２）蓄熱剤による温度保持時間を長くすることができる。
（３）器内温度のバラつきの問題を解消し、略均一に保持できる。
（４）初期の段階における過剰冷却を防止できる。
（５）マイナス外気温による下限温度の逸脱の問題を解消できる。
（６）外気温の変動による上下限温度の逸脱の問題を解消できる。
（７）運用効率性を向上することが可能になる。
（８）設備コストを低減することが可能になる。
【図面の簡単な説明】
【００２１】
【図１】本発明の一実施形態の温度管理システムの基本構成部を概略的に示す図であって、同図（ａ）は断熱性収納器の一例の構成を概略的に示す斜視図、同図（ｂ）は熱伝導性の内容器の一例の構成を概略的に示す斜視図、同図（ｃ）は第１及び第２の蓄熱剤を概略的に示す説明図である。
【図２】図１（ａ）に示す断熱性収納器の構成を概略的に示す図であって、同図（ａ）は閉蓋状態の中央縦断面説明正面図、同図（ｂ）は収納器本体の横断面説明平面図である。
【図３】本発明の一実施形態の温度管理システムを実施している状態の構成を概略的に示す説明図である。
【図４】前記温度管理システムの作用説明図である。
【図５】本発明の他の実施形態の温度管理システムを実施している状態の構成を概略的に示す説明図である。
【図６】図６（ａ）〜同（ｄ）は従来の温度管理方法の一例、及びその問題点を説明するために示す説明図である。
【発明を実施するための形態】
【００２２】
以下、図面を参照して本発明の温度管理システムの実施形態の一例について説明する。
【００２３】
図１ないし図４は、本発明の一実施形態の温度管理システムを示す。本実施形態（実施形態１）の温度管理システムは、断熱性収納器２と、熱伝導性の内容器３と、所望数の下部側の第１の蓄熱剤４Ａと、所望数の下部側の第２の蓄熱剤５Ａと、所望数の上部側の第１の蓄熱剤４Ｂと、所望数の上部側の第２の蓄熱剤５Ｂとを備える。
【００２４】
前記収納器２は任意の構造及び型式に構成できるが、断熱性能が高い構成のものを採用することが好ましい。
【００２５】
本実施形態の前記収納器２は略四角形の断熱性容器状に形成されている。前記収納器２は、断熱性を有し、上端を開口（開口部２１）した収納器本体２０と、断熱性を有し、本体２０の前記開口部２１を開閉する開閉蓋部２２とを備える。
【００２６】
収納器本体２は前後に対向する前壁２３ａ，後壁２３ｂと、左右に対向する側壁２３ｃ，２３ｄと、底壁２３ｅ（図２（ａ）参照）とを備え、略四角形断面に形成されている。前壁２３ａ及び両側壁２３ｃ，２３ｄの上端近くの外壁面には面状ファスナ２４ａが固着して取付けてある。
【００２７】
開閉蓋部２２は、左右の縁部及び前縁部から延出したフラップ２５ａ，２５ｂ，２５ｃを備える。各フラップ２５ａ，２５ｂ，２５ｃの内側面には前記ファスナ２４ａと係脱自在に係着する面状ファスナ２４ｂが固着して取付けてある。
【００２８】
本実施形態の収納器２は上記構成を具備し、開閉蓋部２２で開口部２１を閉蓋し、蓋部２２の各フラップを本体２０の前壁及び両側壁に押接して面状ファスナ２４ａ，２４ｂで係脱自在に止着するように構成されている。なお、上述したように、収納器２は図示以外の任意の構成のものを採用できるものである。
【００２９】
前記収納器２は、所望の大きさに形成される。本実施形態では、図２（ａ）に示すように、閉蓋した状態において、高さの外側寸法Ｙ１：約３８０ｃｍ、内側寸法Ｙ２：３００ｃｍ形成されている。また、本体２０は、図２（ｂ）に示すように、横幅（左右幅）の外側寸法Ｘ１：約５００ｃｍ、内側寸法Ｘ２：約４２０ｃｍ、前後幅の外側寸法Ｘ３：約４４５ｃｍ、内側寸法Ｘ４：約３６５ｃｍに形成されている。なお、上述したように、収納器２の大きさは、任意に変更可能なものである。
【００３０】
前記内容器３は、熱伝導性を有し、上端を開口（開口部３１）した容器本体３０と、熱伝導性を有し、開口部３１を開閉する開閉蓋部３２とを備える。内容器３は熱伝導の高い素材を選択して採用する。
熱伝導が高い素材としては、例えばアルミ，アルミ合金，或いは銅等が挙げられる。本実施形態ではアルミ製の内容器を採用している。但し、上記例示した素材に限定するものではない。
【００３１】
内容器３は、目的の所望の各種物体６（図３参照）を収納して収納器２内に出し入れ可能に収容するものである。したがって、内容器３の大きさは、収納器２の器内（収納室内）の大きさに対応して設定される。また、収納器２内には内容器の上下に所望数の第１及び第２の蓄熱剤４Ａ，４Ｂ，５Ａ，５Ｂを配置して収容するものである。したがって、内容器３の大きさは、所望数の蓄熱剤を収容する適当な収容スペースを形成して収容器２内に収容できる大きさに形成される。
【００３２】
前記第１及び第２の蓄熱剤４Ａ，４Ｂ，５Ａ，５Ｂは、収納して温度管理する所定の温度帯に対応した融点温度の蓄熱剤を選択して採用する。第１の蓄熱剤は、凝固熱を内容器へ熱伝導させるものである。また、第２の蓄熱剤は冷熱を第１の蓄熱剤に吸収させるものである。
【００３３】
第１の蓄熱剤４Ａ，４Ｂは温度管理する所定の温度帯の範囲内の融点温度、例えば、前記温度帯の下限近くないし中間部程度の融点温度の蓄熱剤を採用することができる。第２の蓄熱剤５Ａ，５Ｂは、前記温度帯の下限以下の融点温度、例えば前記下限温度より約３℃〜１０℃低い温度の融点温度の蓄熱剤を採用することができる。
【００３４】
以下、本実施形態では、一例として、２℃〜８℃の温度帯で温度管理する場合について具体的に説明する。第１の蓄熱剤として、例えば、融点３℃〜５℃の蓄熱剤を採用できる。第２の蓄熱剤として融点０℃の蓄熱剤（一般に蓄冷剤と称している）を採用できる。
【００３５】
本実施形態では、第１の蓄熱剤４Ａ，４Ｂとして、融点４℃（凝固点３．５℃）の株式会社スギヤマゲン社製の蓄熱剤（商品名：サーモパック、登録商標）を採用した。また、第２の蓄熱剤５Ａ，５Ｂとして、融点０℃のアデカケミカルサプライ社製の蓄熱剤（商品名:エバクール1000Ｗ／500Ｎ、登録商標）を採用した。この第２の蓄熱剤は一般に蓄冷剤と称されている。
【００３６】
また、本実施形態では、2000ｇ／枚の第１の蓄熱剤を２枚（１枚は下部側用、他の１枚は上部側用）使用した。第２の蓄熱剤は1000ｇ／枚のものを４枚（２枚は下部側用、他の２枚は上部側用）使用した。
【００３７】
本実施形態の温度管理システムは、例えば次のような手順で実施される。第２の各蓄熱剤５Ａ，５Ｂは−１５℃以下の冷凍庫に１０時間以上保管して約−２０℃に冷却する。
第１の各蓄熱剤４Ａ，４Ｂは、４℃以上（例えば約６．５℃）の冷蔵庫に３時間以上保管して約６．５℃（凝固点以上の温度）に冷却（蓄熱）する。
【００３８】
次に、図３に示すように、収納器２の蓋部２２を開け、冷凍庫から取り出した下部側の第２の蓄熱剤５Ａ（上部側の第２の蓄熱剤５Ｂでもよい）を本体２０の底部側に投入して配置（図示では２枚の蓄熱剤５Ａを並べて配置）する。
次いで、冷蔵庫から取り出した下部側の第１の蓄熱剤４Ａ（上部側の第１の蓄熱剤４Ｂでもよい）を前記蓄熱剤５Ａ上に面接触させて重合載置して配置する。
【００３９】
次に、目的の物体６を収納した内容器３を前記第１の蓄熱剤４Ａ上に接触載置して収納器内に配置する。
次いで、冷蔵庫から取り出した上部側の第１の蓄熱剤４Ｂを内容器３上に接触載置して収納器内に配置する。
【００４０】
次いで、冷凍庫から取り出した上部側の第２の蓄熱剤５Ｂを前記第１の蓄熱剤４Ｂ上に面接触させて重合載置して配置した後、収納器２を閉蓋する。
【００４１】
上記により、上下の各第２の蓄熱剤５Ａ，５Ｂからの冷熱（当初は約−２０℃であるが約２ないし３時間程度後に０℃になる）は融解状態の上下の第１の蓄熱剤４Ａ，４Ｂに吸収され、第１の蓄熱剤４Ａ，ＡＢは凝固する。そして、第１の蓄熱剤の凝固点（３．５℃）の凝固熱（約３．５℃〜約４℃）を内容器３内へ熱伝導させるので、内容器内の物体６は前記温度で冷却される。これにより、物体６は所定の温度を保持して温度管理される。
【００４２】
図５は本発明の他の実施形態（実施形態２）の温度管理システムを実施している状態を概略的に示す説明図である。
【００４３】
実施形態２の温度管理システムは、下部側及び上部側の第１の蓄熱剤４Ａ，４Ｂをそれぞれ２枚（合計４枚）づつ面接触させて重合して収納器本体２０内に配置して構成したものである。他の構成は実施形態１と同様である。
【００４４】
実施形態２のように構成すると、上下の各第２の蓄熱剤５Ａ，５Ｂからの冷熱は第２の蓄熱剤と接触して配置した第１の蓄熱剤４Ａ，４Ｂに吸収され、これらの第１の蓄熱剤の凝固熱は内容器３に接触して配置した上下の第２の蓄熱剤４Ａ，４Ｂに熱伝導される。そして、内容器３に接触した各蓄熱剤４Ａ，４Ｂの凝固熱を内容器３内へ熱伝導させて内容器内の物体６を前記温度で冷却する。これにより、物体６は所定の温度を保持して温度管理される。
【００４５】
実施形態２によれば、外気温度の変動による上下限温度の逸脱防止効果を向上させることができる。なお、実施の形態１によっても外気温度の変動による上下限温度の逸脱防止効果を発揮する。
【００４６】
上記実施形態では、一例として、２℃〜８℃の温度帯で温度管理する場合について説明したが、本発明は、例えば、１０℃ないし１５℃、或いは１５℃ないし２５℃等、所望の温度帯の温度を保持する温度管理システムに適用できる。
【００４７】
上記温度帯で温度管理する場合には、それぞれの温度帯に対応する第１及び第２の蓄熱剤を選択して採用し、上述した方法と同様の手順で実施することにより温度管理することができる。なお、第１及び第２の蓄熱剤は、所望に応じて増減可能である。但し、上部側及び下部側の蓄熱剤は、それぞれ少なくとも各１枚の第１と第２の蓄熱剤を組合わせて使用することを条件とする。
【００４８】
（試験例）
次に試験例の一例について説明する。この試験例は、２℃ないし８℃の温度管理する場合について、実施形態１で説明した方法に略準じて実施した。この試験例は温度計測試験である。なお、以下の説明では、第１及び第２の蓄熱剤については、下部側及び上部側に区別することなく、単に第１の蓄熱剤及び第２の蓄熱剤の用語で表現する。
【００４９】
＜温度計測試験実施条件＞
使用収納器：実施形態１の断熱性収納器を採用
第１の蓄熱剤：融点４℃（凝固点３．５℃）、2000ｇ／枚の蓄熱剤を２枚使用（上下に１枚づつ使用）
投入条件：６．５℃の冷蔵庫に３時間入れて６．５℃に冷却（蓄熱）し、冷蔵庫から取り出した後、収納器内へ直投入
第２の蓄熱剤：融点０℃（凝固点０℃）、1000ｇ／枚の蓄熱剤を４枚使用（上下に各２枚づつ使用）
投入条件：−２０℃の冷凍庫に１０時間入れて−２０℃に冷却し、冷凍庫から取り出した後、収納器内へ直投入
内容器：アルミ製の内容器を採用
【００５０】
上記条件にて収納器内に収容した内容器内の温度を計測した。温度計測は内容器内の中段中央部位Ｐ１、同下段中央部位Ｐ２、同中段側面部位Ｐ３、同下段側面部位Ｐ４の各部位について実施（実施時間：４８時間）した（図４参照）。その計測結果を下記表１に示す。
なお、下記表１中、最上欄の「Ｒ」は試験室内における収納器周囲の温度、最下欄の「Ｔ」は時間を示す。また、表１中、Ｐ１〜Ｐ４の各欄の数値は温度（単位：℃）を示す。また、「Ｒ」欄の数値は収納器周囲の温度（単位：℃）を示す。
【００５１】
【表１】
0005759805.tif 000002
【００５２】
上記表１から明らかなとおり、試験開始時の内容器内のＰ１〜Ｐ４の各部位の温度は約１８℃であり、開始当初は上限温度（８℃）をオーバーしているが、開始から０．４時間〜０．５時間までの間は温度が急激に下降することが判る。即ち、試験開始から０．４時間後には、各部位Ｐ１…Ｐ４は冷却により約１０℃の温度になり、０．５時間後には上限（８℃）内の温度に冷却される。
【００５３】
そして、開始から１時間後には約６℃、２時間後には５℃以下になる。また、２時間から約３５時間までの間は時間に比例して徐々に下降して約３．５℃〜約３．７℃程度になり、それ以降は徐々に上昇し、４８時間後には約４．０〜約４．５℃になる。
【００５４】
上記したように、試験開始から０．５時間後には上限内の温度に冷却され、１時間後には約６℃になる。また、２時間から４８時間までは約４．８〜約３．５℃の温度に保持される。このように、開始から約０．５時間経過後は、各部位とも上限及び下限温度を逸脱することなく、所定の温度帯（２℃〜８℃）内の温度に安定して保持されることが判明した。また、各部位Ｐ１〜Ｐ４とも略均一の温度に保持できることも実証された。
【００５５】
なお、上記した各実施形態は一例として開示したもので、本発明は上記の実施形態に限定されるものではなく、特許請求の範囲に記載の技術思想を越脱しない範囲内において任意に変更可能なものである。
【符号の説明】
【００５６】
２    断熱性収納器
３    熱伝導性の内容器
４Ａ    下部側の第１の蓄熱剤
４Ｂ    上部側の第１の蓄熱剤
５Ａ    下部側の第２の蓄熱剤
５Ｂ    上部側の第２の蓄熱剤
６    物体
【図１】
0005759805.tif 000003
【図２】
0005759805.tif 000004
【図３】
0005759805.tif 000005
【図４】
0005759805.tif 000006
【図５】
0005759805.tif 000007
【図６】
0005759805.tif 000008